【事件の表示】
　平成３年特許願第６４３５６号「苗植機」拒絶査定に対する審判事件［平成４年１０月２３日出願公開、特開平４−２９９９０７］について、次のとおり審決する。
【結　論】
　本件審判の請求は、成り立たない。
【理　由】
１．手続の経緯・本願発明
　本願は、平成３年３月２８日の出願であって、その請求項１に係る発明（以下、「本願発明」という）は、平成１５年４月２５日に提出された手続補正書で補正された明細書及び図面の記載からみて、その特許請求の範囲に記載されたとおりの以下のものである。
　「走行車体１の後部に苗植装置５を装着した苗植機において、該走行車体１前端部の左右側に機体前後方向に長いステップ２３を設け、複数の予備の苗を一列に並んだ状態で載せるよう長く形成した予備苗載台２１を走行車体１に対して上下方向の軸１１回りに該予備苗載台２１の長手方向が機体左右方向に向く状態と機体前後方向に向く状態とに回動自在に設け、予備苗載台２１の長手方向端部を上下方向の軸１１に対して予備苗載台２１の長手方向へ移動可能に構成し、前記長手方向端部を移動させて上下方向の軸から離した状態にしたとき、予備苗載台２１の長手方向を機体左右方向へ向けると前記長手方向端部が機体左右方向最外側に突出し、予備苗載台２１の長手方向を機体前後方向へ向けると前記長手方向端部が機体最前側に突出すると共に、前記長手方向端部を移動させて上下方向の軸に近づけた状態にしたとき、予備苗載台２１の長手方向を機体左右方向へ向けると前記長手方向端部が機体左右方向最外端より機体内側に位置し、予備苗載台２１の長手方向を機体前後方向へ向けると前記長手方向端部が機体最前端より後側に位置する構成とし、予備苗載台２１をその長手方向が機体前後方向に向く状態に回動させたとき、予備苗載台２１が平面視で前記ステップ２３に沿った隣接位置に配置される構成としたことを特徴とする苗植機。」
　
２．引用例記載の発明
（１）当審における拒絶の理由に引用した実願昭５５−１４３６６２号（実開昭５７−６５０１９号）のマイクロフィルム（以下「引用例１」という）には、以下の各記載が認められる。
（１-a）「本考案は田植機における補助苗台装置に関するものである。機体に補助苗台を架設してなる田植機は既に提供されているが、従来の補助苗台は一般に固定式であったので補助苗台に苗を供給載置するに際してはその都度マット苗を手に持っていちいち泥土中に足を踏入れて補助苗台の載置位置まで運び込まなければならず作業者の負担が大きくしかも苗の供給作業に貴重な時間を多く費す不都合があった。特に作業者が１人である場合や多条植の大型機械の場合においては作業者の労力の増大し、能率が低下する欠点があった。
　本考案は上記の如き欠点を解消するためなされたものであって、補助苗台を機体にバランスよく固定し得るものでありながら、補助苗台に苗を供給するに際しては、補助苗台を圃場の地形に合わせて作業者の最も作業し易い角度・位置に変位せしめて機体側方又は後方の畔又は道路等から容易に苗を供給載置し得るようにして作業者の労力・負担を大幅に軽減させることができると共に苗供給作業に費す時間を極力削減せしめることができる田植機における補助苗台装置を提供しようとするものである。」（１頁１０行〜２頁１１行）、
（１-b）「乗用型の田植機であって、・・・走行機体２の後方には・・・植付部６が・・・連結されており、」（２頁１３〜１７行）、
（１-c）「該補助苗台８は機幅方向に長い長方形状の枠体８ａと該粋体８ａに対し抜差し自在に支持された上下２段の苗皿８ｂとからなっている。１０は側面視逆Ｌ型状の補助苗台支持フレームで、該支持フレーム１０の一端は機体Ａ後部の機幅方向中央部に立設固定された支点軸１１に対し水平方向回動自在に連結されており、その上方水平部１０ａには一対のチャンネル状ガイドレール１２，１２が支持フレーム１０に直交して固着されている。」（３頁５〜１４行）、
（１-d）「上記の構成により補助苗台８全体が支点軸１１を中心として水平方向に回動し得ると共に、ガイドレール１２，１２に沿ってその長手方向にスライドし得るようになっている。」（３頁２０行〜４頁３行）、
（１-e）「補助苗台８上のマット苗がなくなって補助苗台８に苗を補給する場合には、機体Ａを畔又は道路ａ側に寄せた後、・・・補助苗台８を・・・手で回せば、補助苗台８全体が支点軸１１を中心として水平方向に回動するため、補助苗台８を第５図又は第６図に示す如く、作業者の最も作業し易い角度に回動変位させることができる。しかも補助苗台８をその長手方向に引出せば、補助苗台８全体がガイドレール１２，１２及びローラ１４ａ，１４ａを介してスライドすることができるため、補助苗台８を畔又は道路ａ等の苗補給場所に最も接近する位置に位置決めすることができる。そのため補助苗台８に対する苗の補給作業は、作業者がいちいち圃場の泥中に入ることなく機体Ａの側方又は後方の畔上等から容易且つ迅速に行なうことができる。
　この場合、補助苗台８は支点軸１１を中心として右旋回又は左旋回いずれも可能であり、しかもガイドレール１２，１２の両端いずれの方向にもスライドさせることができるので、圃場の地形に合せて苗補給の最もし易い角度・位置に補助苗台８を位置決めすることができ、作業能率を大幅に高め得ると共に作業者の労力・負担は極力軽減せしめられる。」（５頁１４行〜７頁２行）、
（１-f）第２図には、走行車体２の左右側にステップを設けた構成が示されている。
（１-g）第２図及び第４〜６図からみて、補助苗台８の長手方向端部を移動させて支点軸１１から離した状態にしたとき、補助苗台８の長手方向を機体左右方向へ向けると前記長手方向端部が機体左右方向最外側に突出し、前記長手方向端部を移動させて支点軸１１に近づけた状態にしたとき、補助苗台８の長手方向を機体左右方向へ向けると前記長手方向端部が機体左右方向最外端より機体内側に位置し、補助苗台８の長手方向を機体前後方向へ向けると前記長手方向端部が機体最前端より後側に位置することは明らかである。
　上記記載及び図面の記載によると、引用例１には、
　走行機体２の後方に植付部６を連結した田植機（上記（１-b）参照）において、
該走行機体２の左右側にステップを設け（上記（１-f）参照）、
複数の予備の苗を一列に並んだ状態で載せるよう長く形成した補助苗台８を走行機体２に対して上下方向の支点軸１１回りに該補助苗台８の長手方向が機体左右方向に向く状態と機体前後方向に向く状態とに回動自在に設け（上記（１-c）〜（１-e）参照）、
補助苗台８の長手方向端部を上下方向の支点軸１１に対して長手方向へ移動可能に構成し（上記（１-d）、（１-e）参照）、
前記長手方向端部を移動させて支点軸１１から離した状態にしたとき、補助苗台８の長手方向を機体左右方向へ向けると前記長手方向端部が機体左右方向最外側に突出し（上記（１-g）参照）、
前記長手方向端部を移動させて支点軸１１に近づけた状態にしたとき、補助苗台８の長手方向を機体左右方向へ向けると前記長手方向端部が苗載台３左右方向最外端より機体内側に位置し、補助苗台８の長手方向を機体前後方向へ向けると前記長手方向端部が機体最前端より後側に位置する構成とした田植機（以下、「引用発明」という）が記載されていると認められる。
（２）同じく拒絶の理由に引用した特開昭５７−１２９２１号公報（以下「引用例２」という）には、
（２-a）「機体１上方に平面長方形状の補助苗枠10が配設され、この補助苗枠10の下面から筒状の回転部材11が突設され、機体１上に固定部材12が突設され、前記回転部材11が固定部材12にこれの軸回りに回動自在に嵌合されていることにより、補助苗枠10が機体１に対して水平回動可能にされている。」（２頁左上欄９〜１５行）、
（２-b）「補助苗枠10から補助苗を補給する時以外には、・・・補助苗枠10の長手方向が機体１の前後方向に沿い、その両側から突出しない状態とし補助苗枠10を多量の補助苗が載せられる大型のものにしても、田植機の走行や植付作業に補助苗枠10が邪魔にならないようにしてある。」（２頁右上欄１０〜１６行）、と記載されている。
（３）同じく拒絶の理由に引用した特開昭６１−１５２２０９号公報（以下「引用例３」という）には、機体左右方向に複数の予備苗を並列して載置できるようにした苗植機用予備苗載台（１）において、該予備苗載台（１）の少なくとも左右一側に機体への枢支部（２）を設けて、該枢支部（２）の回りに予備苗載台（１）を回動固定自在に設けた苗植機用予備苗載台が記載されていると認められる。
　
３．対比・判断
　本願発明と引用発明とを対比すると、引用発明の「走行機体２」が本願発明の「走行車体１」に対応し、同様に、「植付部６」が「苗植装置５」に、「補助苗台８」が「予備苗載台２１」に、「支点軸１１」が「軸１１」に、「田植機」が「苗植機」に、それぞれ対応しているから、両者は、
「走行車体の後部に苗植装置を装着した苗植機において、
複数の予備の苗を一列に並んだ状態で載せるよう長く形成した予備苗載台を走行車体に対して上下方向の軸回りに該予備苗載台の長手方向が機体左右方向に向く状態と機体前後方向に向く状態とに回動自在に設け、
予備苗載台の長手方向端部を上下方向の軸に対して予備苗載台の長手方向へ移動可能に構成し、前記長手方向端部を移動させて上下方向の軸から離した状態にしたとき、予備苗載台の長手方向を機体左右方向へ向けると前記長手方向端部が機体左右方向最外側に突出すると共に、
前記長手方向端部を移動させて上下方向の軸に近づけた状態にしたとき、予備苗載台の長手方向を機体左右方向へ向けると前記長手方向端部が機体左右方向最外端より機体内側に位置し、予備苗載台の長手方向を機体前後方向へ向けると前記長手方向端部が機体最前端より後側に位置する構成とした苗植機で一致し、次の点で構成が相違する。
　相違点（Ａ）
　本願発明では、「走行車体１前端部の左右側に機体前後方向に長いステップ２３を設け」ているのに対し、引用発明では、走行車体（走行機体２）の左右側にステップが設けられているが、機体前後方向に長くない点、
　相違点（Ｂ）
　本願発明では、予備苗載台２１の長手方向端部を移動させて上下方向の軸から離した状態にしたとき、予備苗載台２１の長手方向を機体前後方向へ向けると前記長手方向端部が機体最前側に突出する構成とし、予備苗載台２１をその長手方向が機体前後方向に向く状態に回動させたとき、予備苗載台２１が平面視で前記ステップ２３に沿った隣接位置に配置されるのに対し、
引用発明では、予備苗載台（補助苗台８）の長手方向端部を移動させて支点軸１１から離した状態にしたとき、予備苗載台の長手方向を機体前後方向へ向けると前記長手方向端部が機体最前側に突出するか不明であり、予備苗載台をその長手方向が機体前後方向に向く状態に回動させたとき、予備苗載台が平面視でステップに沿った隣接位置に配置される構成ではない点。
　上記相違点について検討する。
　相違点（Ａ）について
　走行車体（乗用牽引車１）前端部の左右側に機体前後方向に長いステップ（ステップフロア１３）を設けることは周知である（例えば、特開平１−１７９６１１号公報参照）から、引用発明において、ステップを、走行車体（乗用牽引車１）前端部の左右側に機体前後方向に長いステップとすることは当業者なら容易にできる程度の設計事項に過ぎない。
　相違点（Ｂ）について
　予備苗載台（補助苗枠10）を前後方向に向く状態にしたとき予備苗載台が機体の両側から突出しないように予備苗載台の回動支点を、予備苗載台の中心に設けた構成は上記引用例２に記載されており、予備苗載台の回動支点を、予備苗載台の一側に設けた構成は上記引用例３に記載されており、引用例２及び３には、予備苗載台への苗の補給や、植付作業に予備苗載台が邪魔にならないこと等を考慮して予備苗載台の回動支点の位置を決めることが開示されているといえる。
　また、引用発明は、一般に固定式であった予備苗載台（補助苗台８）を変位（回動及びスライド）できるように構成することにより、予備苗載台に苗を供給載置するに際し、予備苗載台を圃場の地形に合わせて作業者の最も作業し易い角度・位置に変位させて機体側方又は後方の畔等から容易に予備苗載台に苗を供給載置できるようにして作業者の労力・負担を軽減させることができるようにするものである。
　そうすると、引用発明において、機体前方の畔等からも予備苗載台（補助苗台８）へ苗が供給できるようにする等のために、予備苗載台をその長手方向が機体前後方向に向く状態に回動させたとき、予備苗載台が平面視でステップに沿った隣接位置に配置されるようにすると共に、予備苗載台の長手方向端部を移動させて上下方向の軸から離した状態にすると、前記長手方向端部が機体最前側に突出する構成とすることは、当業者なら容易に想到できることである。
　そして、本願発明が奏する効果は、引用例１ないし３に記載された発明から当業者が予測できる程度のことであって格別顕著なものではない。
　
４．むすび
　以上のとおり、本願発明は、引用例１ないし３に記載された発明に基づいて当業者が容易に発明をすることができたものと認められるから、特許法第２９条第２項の規定により特許を受けることができない。
　よって、結論のとおり審決する。